(57)【要約】  分散型アンテナシステム（ＤＡＳ）における信号を送受信する装置及び方法が提供される。分散型アンテナシステムにおける初期状態を決定する方法は、上位シグナリングを通して所定の値を受信するステップと、所定の値に基づいて初期状態を決定するステップとを有し、所定の値は、送信地点に従って異なるスクランブルシーケンスの初期状態が設定された値を示す。
2014535188.tif 000002
【特許請求の範囲】
【請求項１】
分散型アンテナシステム（ＤＡＳ）における初期状態を決定する方法であって、
上位シグナリングを通して所定の値を受信するステップと、
前記所定の値に基づいて初期状態を決定するステップとを有し、
前記所定の値は、送信地点に従って異なるスクランブルシーケンスの初期状態が設定された値を示すことを特徴とする分散型アンテナシステムにおける初期状態を決定する方法。
【請求項２】
前記初期状態は、アンテナポートの位置、アンテナポートの数、及びアンテナパターンの中の少なくとも1つに基づいて決定されることを特徴とする請求項１に記載の分散型アンテナシステムにおける初期状態を決定する方法。
【請求項３】
前記所定の値は、９ビットであることを特徴とする請求項１に記載の分散型アンテナシステムにおける初期状態を決定する方法。
【請求項４】
前記初期状態の中の少なくとも１つは、レガシー初期状態であることを特徴とする請求項１に記載の分散型アンテナシステムにおける初期状態を決定する方法。
【請求項５】
拡張された物理ダウンリング制御チャネル（Ｅ−ＰＤＣＣＨ）のための初期状態は、上位シグナリングを通して予め設定された値であることを特徴とする請求項１に記載の分散型アンテナシステムにおける初期状態を決定する方法。
【請求項６】
分散型アンテナシステム（ＤＡＳ）における初期状態を決定する装置であって、
上位シグナリングを用いて所定の値を受信する受信部と、
前記所定の値に基づいて初期状態を決定する制御部とを有し、
前記所定の値は、送信地点に従って異なるスクランブルシーケンスの初期状態が設定された他の値を有することを特徴とする分散型アンテナシステムにおける初期状態を決定する装置。
【請求項７】
前記初期状態は、アンテナポートの位置、アンテナポートの数、及びアンテナパターンの中の少なくとも1つに基づいて決定されることを特徴とする請求項６に記載の分散型アンテナシステムにおける初期状態を決定する装置。
【請求項８】
前記所定の値は、９ビットであることを特徴とする請求項６に記載の分散型アンテナシステムにおける初期状態を決定する装置。
【請求項９】
前記初期状態の中の少なくとも１つは、レガシー初期状態であることを特徴とする請求項６に記載の分散型アンテナシステムにおける初期状態を決定する装置。
【請求項１０】
拡張された物理ダウンリング制御チャネル（Ｅ−ＰＤＣＣＨ）のための初期状態は、上位シグナリングを通して予め設定された値であることを特徴とする請求項６に記載の分散型アンテナシステムにおける初期状態を決定する装置。
【請求項１１】
分散型アンテナシステム（ＤＡＳ）における初期状態を判定する方法であって、
スクランブリングコード識別子（ＳＣＩＤ）を受信するステップと、
前記受信されたスクランブルコード識別子に基づいて決定された初期状態がレガシー初期状態であるか又は新たな初期状態であるかを判定するステップと
を有することを特徴とする分散型アンテナシステムにおける初期状態を判定する方法。
【請求項１２】
多地点協調送信（ＣｏＭＰ）スクランブリングインデックスに基づいて決定された初期状態がレガシー初期状態であるか又は新たな初期状態であるかを判定するステップをさらに有することを特徴とする請求項１１に記載の分散型アンテナシステムにおける初期状態を判定する方法。
【請求項１３】
分散型アンテナシステム（ＤＡＳ）における初期状態を判定する装置であって、
スクランブリングコード識別子（ＳＣＩＤ）を受信する受信部と、
前記受信されたスクランブルコード識別子に基づいて決定された初期状態がレガシー初期状態であるか又は新たな初期状態であるかを判定する制御部と
を有することを特徴とする分散型アンテナシステムにおける初期状態を判定する装置。
【請求項１４】
前記制御部は、多地点協調送信（ＣｏＭＰ）スクランブリングインデックスに基づいて決定された初期状態がレガシー初期状態であるか又は新たな初期状態であるかを判定することを特徴とする請求項１３に記載の分散型アンテナシステムにおける初期状態を判定する装置。
【発明の詳細な説明】
【技術分野】
【０００１】
本発明は、無線移動通信システムに係り、より詳しくは、分散型アンテナシステムにおける信号送受信装置及び方法に関する。
【背景技術】
【０００２】
一般的に、セルラー無線移動通信システムは、限定された領域で複数のセルを確立することによりなされる。各セル内の移動通信を担当する基地局コンポーネントがセルの中央に位置する。基地局（Base Station、ＢＳ）コンポーネントは、無線信号を送信するアンテナ又は信号処理部分であり、セルの中央でセル内の端末（User Equipments、ＵＥｓ）に移動通信サービスを提供する。このように、アンテナがセルの中央に設置されるシステムは、集中型アンテナシステム（Centralized Antenna System、ＣＡＳ）と呼ばれ、一般的な移動通信システムは、このようなシステムの一例である。
【０００３】
ＣＡＳとは異なる分散型アンテナシステム（Distributed Antenna System、ＤＡＳ）が存在する。
【０００４】
しかしながら、従来のＤＡＳは、ＣＡＳと比較される時に、アンテナをセルのサービスエリアに均一に分散させることにより向上した移動通信サービスを提供できる方式が要求される。
【発明の概要】
【発明が解決しようとする課題】
【０００５】
本発明の目的は、少なくとも上述した問題点及び／又は不都合に取り組み、少なくとも以下の利便性を提供することにある。すなわち、本発明の目的は、各基地局のサービスエリアにわたって分散される方式でアンテナが配置される分散型アンテナシステム（ＤＡＳ）で効率的な通信のための復調基準信号（Demodulation Reference Signal、ＤＭＲＳ）のスクランブリングシーケンス（scrambling sequence）を生成するための初期状態（initial state）を決定する方法を提供することにある。
【課題を解決するための手段】
【０００６】
上記のような目的を達成するために、本発明の一態様によれば、分散型アンテナシステム（ＤＡＳ）における初期状態を決定する方法が提供される。上記方法は、上位シグナリングを通して所定の値を受信するステップと、上記所定の値に基づいて初期状態を決定するステップとを有し、上記所定の値は、送信地点に従って異なるスクランブルシーケンスの初期状態が設定された値を示すことを特徴とする。
【０００７】
本発明の他の態様によれば、分散型アンテナシステム（ＤＡＳ）における初期状態を決定する装置が提供される。上記装置は、上位シグナリングを用いて所定の値を受信する受信部と、上記所定の値に基づいて初期状態を決定する制御部とを有し、上記所定の値は、送信地点に従って異なるスクランブルシーケンスの初期状態が設定された他の値を有することを特徴とする。
【０００８】
本発明のさらに他の態様によれば、分散型アンテナシステム（ＤＡＳ）における初期状態を判定する方法が提供される。上記方法は、スクランブリングコード識別子（ＳＣＩＤ）を受信するステップと、上記受信されたスクランブリングコード識別子に基づいて決定された初期状態がレガシー初期状態であるか又は新たな初期状態であるかを判定するステップとを有することを特徴とする。
【０００９】
本発明のさらなる他の態様によれば、分散型アンテナシステム（ＤＡＳ）における初期状態を判定する装置が提供される。上記装置は、スクランブリングコード識別子（ＳＣＩＤ）を受信する受信部と、上記受信されたスクランブリングコード識別子に基づいて決定された初期状態がレガシー初期状態であるか又は新たな初期状態であるかを判定する制御部とを有することを特徴とする。
【発明の効果】
【００１０】
本発明によると、ｅＮＢからの個別の通知なしに、ＵＥは、Ｅ−ＰＤＣＣＨをスクランブリングするために生成され使用されるスクランブリングシーケンスに基づいて初期状態を識別することができる。
【００１１】
また、ＵＥ及びｅＮＢは、新たな初期状態を決定するための方法を用いて同一のセルＩＤを有する送信地点で送信されるＤＭＲＳ間の干渉ランダム化効果を得ることができる。
【００１２】
さらに、新たな初期状態を決定する方法を用いてスクランブリングシーケンスを得ることができる。
【００１３】
本発明の実施形態の上述した及び他の様相、特徴、及び利点は、以下の添付図面が併用された後述の詳細な説明から、より一層明らかになるだろう。
【図面の簡単な説明】
【００１４】
【図１】従来のシステムにおける複数のセルを示す図である。
【図２】ロングタームエボリューション−アドバンスド（ＬＴＥ−Ａ）システムのダウンリンクリソースブロック（ＲＢ）を示す図である。
【図３】１ポートチャネル状態情報基準信号（Channel Status Information Reference Signal、ＣＳＩ−ＲＳ）、２ポートＣＳＩ−ＲＳ、４ポートＣＳＩ−ＲＳ、及び８ポートＣＳＩ−ＲＳが送信されるリソースエレメント（ＲＥ）を示す図である。
【図４】分散型アンテナシステム（ＤＡＳ）における複数の送信地点を示す図である。
【図５】本発明の実施形態による物理ダウンリンク制御チャネル（ＰＤＣＣＨ）を通して送信されるダウンリンク制御情報（ＤＣＩ）を示す図である。
【図６】本発明の実施形態による基地局（ＢＳ）の動作を示すフローチャートである。
【図７】本発明の実施形態による端末（ＵＥ）の動作を示すフローチャートである。
【図８】拡張されたＰＤＣＣＨ（Ｅ−ＰＤＣＣＨ）と物理ダウンリンク共有チャネル（ＰＤＳＣＨ）との間の関係を示す図である。
【発明を実施するための形態】
【００１５】
以下、本発明の望ましい実施形態を添付の図面を参照して詳細に説明する。また、本発明を説明するにあたって、関連した公知機能或いは構成に対する具体的な説明が本発明の要旨を不必要に不明瞭にすると判断された場合、その詳細な説明は省略する。また、後述する用語は、本発明の機能を考慮して定義されたものであって、ユーザ、運用者の意図、又は慣例によって変わることができる。したがって、上記用語は、本明細書の全体内容に基づいて定義されなければならない。
【００１６】
また、本発明の実施形態では、直交周波数分割多重化（Orthogonal Frequency Division Multiplexing、ＯＦＤＭ）に基づく無線通信システム、特に、第３世代パートナーシッププロジェクト（3rd Generation Partnership Project、３ＧＰＰ）の拡張されたユニバーサル地上波無線アクセス（Enhanced Universal Terrestrial Radio Access、ＥＵＴＲＡ）標準に基づいて具体的に説明するが、本発明の主な要旨は、本発明の範囲から大きく外れない限り類似した技術的背景及びチャネル形態を有する他の通信システムにも適用可能であり、ここで説明した実施形態の様々な変更及び修正が可能であるということは、当該技術分野における通常の知識を有する者には明らかである。
【００１７】
本発明は、複数の基地局が存在する移動通信システムにおいて、各基地局が運用するアンテナが対応する基地局のサービスエリアにわたって分散される分散型アンテナシステム（Distributed Antenna System、ＤＡＳ）において、ダウンリンクで効率的な通信のために端末で干渉測定を実行する方法を開示する。
【００１８】
音声中心の通信サービスを提供する初期の段階から、移動通信システムは、データサービス及びマルチメディアサービスを提供するために高速及び高品質の無線パケットデータ通信システムに発展している。最近では、３ＧＰＰの高速ダウンリンクパケットアクセス（High Speed Downlink Packet Access、ＨＳＤＰＡ）、高速アップリンクパケットアクセス（High Speed Uplink Packet Access、ＨＳＵＰＡ）、ＬＴＥ（Long Term Evolution）、ＬＴＥ−Ａ（Long Term Evolution Advanced）、３ＧＰＰ２の高速パケットデータ（High Rate Packet Data、ＨＲＰＤ）、及びＩＥＥＥの８０２．１６のような様々な移動通信標準が高速及び高品質の無線パケットデータ送信サービスをサポートするために開発された。特に、ＬＴＥシステムは、高速無線パケットデータ送信を効率的にサポートするために開発されたＬＴＥシステムは、様々な無線接続技術を活用して無線システムキャパシティを最大にする。ＬＴＥシステムから進歩したＬＴＥ−Ａシステムは、ＬＴＥシステムと比較する時に向上したデータ送信能力を有する。
【００１９】
ＬＴＥは、一般的に、３ＧＰＰ標準団体のリリース（Release）８又は９に対応する基地局及び端末コンポーネントを意味し、ＬＴＥ−Ａは、３ＧＰＰ標準団体のリリース１０に対応する基地局及び端末コンポーネントを意味する。３ＧＰＰ標準団体は、ＬＴＥ−Ａシステムを標準化した後にも、標準化されたＬＴＥ−Ａシステムに基づいて向上した性能を有する後続リリースに対する標準化を開発している。
【００２０】
ＨＳＤＰＡ、ＨＳＵＰＡ、ＨＲＰＤ、ＬＴＥ／ＬＴＥ−Ａのような現存する第３世代及び第４世代無線パケットデータ通信システムは、送信効率を向上させるために適応変調及び符号化（Adaptive Modulation and Coding、ＡＭＣ）方式及びチャネルセンシティブスケジューリング（channel-sensitive scheduling）方式を使用する。ＡＭＣ方式を使用する場合に、送信器は、チャネル状態に従って送信されるデータの量を調節することができる。すなわち、チャネル状態がよくない場合に、送信器は、送信されるデータの量を減少させることにより受信エラー確率を所望するレベルにマッチングする。チャネル状態がよい場合に、送信器は、送信されるデータの量を増加させることにより受信エラー確率を所望するレベルにマッチングし、多くの情報を効率的に送信する。チャネルセンシティブスケジューリングリソース管理方式を活用する時に、送信器が複数のユーザの中で優秀なチャネル状態を有するユーザに選択的にサービスを提供するために、システムキャパシティは、チャネルをユーザに割り当てた後にサービスを提供する場合に比べて増加する。このようなキャパシティ増加は、通常、マルチユーザダイバーシティ（Multi-user Diversity）利得と呼ばれる。ＡＭＣ方式及びチャネルセンシティブスケジューリング方式は、受信器からフィードバックされる部分的なチャネル状態情報を受信し、最も効率的な時点で適切な変調及び符号化技術を適用する。
【００２１】
多入力多出力（Multiple Input Multiple Output、ＭＩＭＯ）送信方式とともに使用される場合に、ＡＭＣ方式は、送信信号の空間層（spatial layer）の個数又はランク（rank）を決定することができる。また、ＡＭＣ方式は、最適のデータ送信率（data rate）を決定し、符号化率及び変調方式だけではなくＭＩＭＯを用いて送信のためのレイヤーの個数も考慮する。
【００２２】
最近では、第２世代及び第３世代移動通信システムで使用される多重アクセス方式であるＣＤＭＡ（Code Division Multiple Access）を次世代移動通信システムにおけるＯＦＤＭＡ（Orthogonal Frequency Division Multiple Access）に置き換えようとする研究が活発に進んでいる。３ＧＰＰ及び３ＧＰＰ２は、ＯＦＤＭＡに基づく進化したシステムに関する標準化研究を始めた。周波数領域スケジューリング（Frequency Domain Scheduling）が周波数軸上で実行されることができるために、ＣＤＭＡ方式に比べてＯＦＤＭＡ方式がキャパシティを増加するものと期待される。チャネルセンシティブスケジューリング方法を用いてチャネルが時間により変わる特性からキャパシティ利得を得ることができ、チャネルが周波数により変わる特性を用いてさらに多くのキャパシティ利得を得ることができる。 
【００２３】
一般的に、移動通信システムにおいて、複数のセルで構成された移動通信網は、システムキャパシティを拡張するために確立される。この時に、各セルのサイズは、対応するセルの送信電力に従って決定される。
【００２４】
図１は、従来のシステムで配置された複数のセルを示す図である。
図１において、高い送信電力で送信する送信地点１００は、大きい領域を有するセルを形成し、相対的に低い送信電力を送信する送信地点１１０、１２０、１３０、及び１４０は、１００のセル領域内で小さい領域を有するセルを形成する。図１において、送信地点１００、１１０、１２０、１３０、及び１４０は、それぞれの位置で１本のアンテナ又は複数のアンテナを用いて無線信号を送受信することにより、各セル内で移動通信サービスを複数の端末に提供する。高い送信電力で送信する送信地点１５０は、大きな領域を有する他のセルを形成し、相対的に低い送信電力を送信する送信地点１６０、１７０、１８０、及び１９０は、１５０のセル領域内で小さな領域を有するセルを形成する。送信地点１００、１１０、１２０、１３０、１４０、１５０、１６０、１７０、１８０、及び１９０により形成される１０個のセルは、それぞれ固有のセルＩＤを有する。セルＩＤは、端末が各セルを識別できるように各セルに割り当てられた値であり、５００個以上のセルＩＤは、ＬＴＥ／ＬＴＥ−Ａシステムでサポートされる。
【００２５】
図１において、各セルが送信する信号は、対応するセルＩＤを用いて異なって送信される。特に、ＬＴＥ−Ａシステムにおいて、端末がチャネル推定を実行するために使用されるダウンリンクのＰＤＳＣＨ用復調基準信号（Demodulation Reference Signal、ＤＭＲＳ）の場合、信号のランダム化のために適用されるスクランブリングシーケンスは、セルＩＤに従って異なって適用される。ＰＤＳＣＨ用ＤＭＲＳは、ＰＤＳＣＨに対するチャネル復元を実行するためのチャネル推定を可能にするようにｅＮＢがＵＥに送信した基準信号である。
【００２６】
ＬＴＥ−Ａシステムにおいて、信号をＯＦＤＭＡ方式を用いて送信する。ＬＴＥ−Ａシステムでの信号送信のための帯域幅は、複数のリソースブロック（Resource Block、ＲＢ）に分割され、ＵＥは、１つ以上のＲＢを通してトラフィック信号を受信する。
【００２７】
図２は、ＬＴＥ−ＡシステムのダウンリンクＲＢを示す図である。１つのＲＢは、周波数領域で１２個のサブキャリアで構成され、時間軸で１４個のＯＦＤＭシンボルで構成される。１つのＲＢでデータを搬送することができる最小単位の周波数及び時間リソースは、リソースエレメント（ＲＥ）と呼ばれ、ＲＢは、１６８個（１２個のサブキャリア×１４個のＯＦＤＭシンボル）のＲＥで構成される。
【００２８】
図２に示すように、セル特定基準信号（Cell Specific Reference Signal、ＣＲＳ）、ＤＭＲＳ（Demodulation Reference Signal）、ＰＤＳＣＨ（Physical Downlink Shared Channel）、及び制御チャネルだけではなく、相互に異なる機能を実行する信号は、１つのＲＢ内に送信される。また、チャネル状態情報基準信号（Channel Status Information Reference Signal、ＣＳＩ−ＲＳ）は、図２の位置２００〜２１９で送信される。ＣＳＩ−ＲＳは、位置２００〜２１９の中の１つ以上で送信され、ＣＳＩ−ＲＳが送信される位置ではＰＤＳＣＨが送信されないが、位置２００〜２１９の中のＣＳＩ−ＲＳ用に設定されない位置では、ＰＤＳＣＨがその代わりに送信される。
【００２９】
図３は、１ポートチャネル状態情報基準信号（Channel Status Information Reference Signal、ＣＳＩ−ＲＳ）、２ポートＣＳＩ−ＲＳ、４ポートＣＳＩ−ＲＳ、及び８ポートＣＳＩ−ＲＳが送信されるリソースエレメント（ＲＥ）を示す図である。１ポートＣＳＩ−ＲＳ及び２ポートＣＳＩ−ＲＳの送信位置は、４ポートＣＳＩ−ＲＳの送信位置に含まれるサブパターン特性を有することを図３からわかる。また、４ポートＣＳＩ−ＲＳの送信位置は、８ポートＣＳＩ−ＲＳの送信位置に含まれるサブパターン特性を有する。例えば、１つの４ポートＣＳＩ−ＲＳが送信されることができる送信位置３２０は、１つの８ポートＣＳＩ−ＲＳが送信されることができる送信位置３３０に含まれる。
【００３０】
図１に示すように、相互に異なるセルＩＤを有する複数のセルが存在する場合に、異なるスクランブリングは、セルＩＤに従って図２のＰＤＳＣＨ用ＤＭＲＳに適用される。異なるスクランブリングを適用することにより、異なるセルから送信されたＰＤＳＣＨ用ＤＭＲＳ間で発生する干渉を効率的にランダム化し、これにより、チャネル推定性能を向上させることができる。具体的に、各セルに適用されるスクランブリングシーケンスは、数式（１）のような初期状態を用いて発生する。
【００３１】
【数１】
2014535188.tif 000003
【００３２】
一般的に、スクランブリングシーケンスは、生成多項式に従って生成され、スクランブリングシーケンスの生成の時に初期状態に従って生成されるスクランブリングシーケンス値が変わる。数式（１）において、
【００３３】
【数２】
2014535188.tif 000004
【００３４】
は、セルＩＤ値を示し、セルＩＤに従って可変値を有する。したがって、相互に異なるセルＩＤを有するセルは、相互に異なる初期状態を有することにより、ＰＤＳＣＨ  ＤＭＲＳが異なるスクランブリングシーケンスでスクランブリングされる。
【００３５】
上述したようなＬＴＥ−Ａシステムにおいて、相互に異なるセルでスクランブリングを実行する機能は、進歩した移動通信システムである分散型アンテナシステム（Distributed Antenna System、ＤＡＳ）が確立される場合に干渉のランダム化に限界を有する。その理由は、ＤＡＳの場合に、従来のシステムと同様に、送信器及び受信器は、分散された地点に配置されることにより移動通信サービスを提供するが、各送信地点に固有のセルＩＤを有するものではなく、複数の送信地点（Transmission Point）が１つのセルＩＤを共有するためである。
【００３６】
図４は、分散型アンテナシステム（ＤＡＳ）における複数の送信地点を示す図である。図４において、高い送信電力で送信を行う送信地点４００及び低い送信電力で送信を行う送信地点４１０、４２０、４３０、及び４４０は、すべて１つのセルＩＤを共有する。このように、複数の送信地点が１つのセルＩＤを共有するＤＡＳの場合に、複数の送信地点の無線リソースを１つの端末に割り当てることは、図１に示したような従来の移動通信と比較して効率的に実行されることができる。
【００３７】
図４に示すようなＤＡＳの場合に、複数の送信地点が１つのセルＩＤを共有することにより、現在のＬＴＥ−Ａシステムで定義されたＰＤＳＣＨ用ＤＭＲＳスクランブリング方式を使用する場合に、すべての送信地点は、同一の初期状態に基づいて生成されたスクランブリングシーケンスを使用し、結果的に、効率的な干渉ランダム化を実行することができない。すなわち、図４において、セルＩＤが０に設定された送信地点により送信されたＰＤＳＣＨ用ＤＭＲＳは、セルＩＤが１に設定された送信地点で送信するＰＤＳＣＨ用ＤＭＲＳとは相互間に効率的な干渉ランダム化効果を得ることができるが、同一のセルＩＤを有する送信地点の間では、同一の効果を得ることができない。
【００３８】
したがって、本発明は、同一のセルＩＤを共有する複数の送信地点が存在するＤＡＳにおいて、ＰＤＳＣＨ用ＤＭＲＳのスクランブリングシーケンスの生成に必要な初期状態を適切に割り当てることにより効率的な干渉ランダム化を達成することができる方法を開示する。
【００３９】
上述したように、ＤＡＳにおいて、ダウンリンクで送信されるＰＤＳＣＨ用ＤＭＲＳは、セルＩＤに従ってスクランブリングシーケンスの初期状態が決定されることにより、同一のセルＩＤを有する送信地点の間で干渉ランダム化効果を得ることができない。このような問題点を解決するためには、同一のセル内の異なる送信地点ごとに異なるスクランブリングシーケンスの初期状態を設定する必要がある。本発明において、次のように、スクランブリングシーケンスの新たな初期状態を適用するための幾つかの重要な条件を提示する。
【００４０】
条件１：ＤＡＳにおいて、各送信地点は、新たな初期状態に基づくスクランブリングシーケンスを使用できなければならない。
【００４１】
条件２：ＤＡＳにおいて、各送信地点は、新たな初期状態だけではなくレガシー初期状態に基づくスクランブリングシーケンスも使用できなければならない。
【００４２】
条件３：ネットワークの判定に従ってレガシー初期状態と新たな初期状態との間でダイナミックな変化が可能でなければならない。
【００４３】
条件１は、ＤＡＳをサポートするＵＥに送信する時に干渉ランダム化を効率的に実行するために必要である。条件２は、ＤＡＳをサポートしないＵＥ及びＤＡＳをサポートするＵＥに同一の時間及び周波数リソースで送信を実行するマルチユーザＭＩＭＯ（ＭＵ−ＭＩＭＯ）を実行するために必要である。ＤＡＳをサポートしない従来の端末は、本発明で提案する新たな初期状態に基づくスクランブリングシーケンスをサポートできない。複数のアンテナを用いて同一の時間及び周波数リソースでレガシーＵＥ及び新たな初期状態をサポートするＵＥへのＭＵ−ＭＩＭＯ送信を同時に実行するためには、ＰＤＳＣＨ用ＤＭＲＳは、干渉ランダム化がうまく達成されないとしても、レガシー初期状態に基づくスクランブリングシーケンスを用いて送信されなければならない。
【００４４】
条件３は、スケジューラの判定に従って送信地点ごとにＤＡＳをサポートする端末に対して送信を実行してもよく、又はＤＡＳをサポートする端末及び従来技術だけをサポートする端末に対して送信を実行してもよいために重要である。すなわち、特定の時間期間において、ＤＭＲＳは、新たな初期状態に基づくスクランブリングシーケンスをサポートする端末に送信する場合に新たな初期状態に基づくスクランブリングシーケンスを用いてＤＭＲＳをスクランブリングする。しかしながら、他の時間期間において、ＤＡＳをサポートしないレガシー端末にレガシー初期状態に基づくスクランブリングシーケンスを用いてＰＤＳＣＨ用ＤＭＲＳをスクランブリングする。各送信地点がレガシー初期状態に基づくスクランブリングシーケンス及び新たな初期状態に基づくスクランブリングシーケンスをサポートする場合と同様に、ＤＡＳをサポートするＵＥは、２つのスクランブリングシーケンスをすべてサポートしなければならない。
【００４５】
新たな初期状態に基づくスクランブリングシーケンスを活用するためには、ＵＥとｅＮＢとが共有する方法で初期状態を決定しなければならない。本発明では、新たな初期状態を決定する方法として、ＬＴＥ−Ａシステムに適用可能な複数の方法を提案する。以下では、ＰＤＳＣＨ用ＤＭＲＳのための新たな初期状態を決定するための方法１乃至方法６を提案する。
【００４６】
方法１：ＣＳＩ−ＲＳポート１５の位置及びＣＳＩ−ＲＳポートの個数に従う初期状態を決定する方法
ＣＳＩ−ＲＳは、ＬＴＥ−ＡでＵＥがダウンリンクのチャネルを測定するために使用される基準信号である。ＬＴＥ−Ａシステムにおいて、ＣＳＩ−ＲＳは、ポート１５乃至２２に対応する。表１は、ＬＴＥ−Ａシステムにおいて可能なＣＳＩ−ＲＳポート１５の位置及びＣＳＩ−ＲＳポートの個数を示す。すなわち、表１は、ＬＴＥ−Ａシステムのノーマルサイクリックプレフィックスサブフレーム（Normal Cyclic Prefix Subframe）のＣＳＩ−ＲＳポートの個数に対するＣＳＩ−ＲＳポート１５の位置を示す。
【００４７】
【表１】
2014535188.tif 000005
【００４８】
表１において、ＣＳＩ−ＲＳが１個、２個、４個、及び８個のポート数を有する場合に、それぞれ２０個、１０個、５個の可能なポート１５の位置を有することができることをわかる。一般的に、近距離に位置した送信地点は、干渉を避けるために、異なる位置でＣＳＩ−ＲＳを送信する。このように、異なる位置のＣＳＩ−ＲＳが近距離に位置した送信地点に設定されるという特徴を用いてＤＡＳにおけるＰＤＳＣＨ用ＤＭＲＳのためのスクランブリングシーケンスの初期状態を数式（２）乃至数式（５）で決定されることができる。
【００４９】
【数３】
2014535188.tif 000006
【００５０】
【数４】
2014535188.tif 000007
【００５１】
【数５】
2014535188.tif 000008
【００５２】
【数６】
2014535188.tif 000009
【００５３】
ここで、１ポートＣＳＩ−ＲＳ及び２ポートＣＳＩ−ＲＳは、同一の個数のＣＳＩ−ＲＳポートを有する。このような場合に、個別の初期状態を設定する代わりに同一の初期状態を設定してもよい。
【００５４】
ＣＳＩ−ＲＳポート１５の位置及びＣＳＩ−ＲＳポートの個数に従って新たな初期状態を決定する他の方法は、次のような数式（６）を使用する。
【００５５】
【数７】
2014535188.tif 000010
【００５６】
ここで、ｉは、ＣＳＩ−ＲＳポートの個数に従って下記の表２のような値を有する。下記の表２は、数式（６）において、ＣＳＩ−ＲＳポートの個数に従うｉを示す。
【００５７】
【表２】
2014535188.tif 000011
【００５８】
数式（６）に基づいてＰＤＳＣＨ用ＤＭＲＳのための新たなスクランブリングシーケンスの初期状態を設定する方法は、可能なＣＳＩ−ＲＳポートの数及び位置を総合的に考慮して初期状態を決定するものである。このような方法は、数式（２）乃至数式（５）と比較する時に、相対的に初期状態の少ないビット数だけを変更させる長所がある。数式（６）に基づくＰＤＳＣＨ用ＤＭＲＳの初期状態を決定する方法も数式（２）乃至数式（５）の場合と同様に、１ポートＣＳＩ−ＲＳ及び２ポートＣＳＩ−ＲＳの場合に個別の初期状態を設定する代わりに同一の初期状態を設定してもよい。
【００５９】
方法２：ＣＳＩ−ＲＳポート１５の位置に従う初期状態を決定する方法
ＣＳＩ−ＲＳポート１５の位置に従って、ＰＤＳＣＨ用ＤＭＲＳのための新たなスクランブリングシーケンスの初期状態を次の通りに決定することができる。
【００６０】
【数８】
2014535188.tif 000012
【００６１】
ここで、ｉ値は、表３に示すように、ＬＴＥ−Ａシステムで可能なＣＳＩ−ＲＳポート１５の位置に従って決定されることができる。
【００６２】
【表３】
2014535188.tif 000013
【００６３】
方法３：送信ＣＳＩ−ＲＳパターンを含む８ポートＣＳＩ−ＲＳパターンに従う初期状態を決定する方法
ＬＴＥ−Ａシステムにおいて、１ポートＣＳＩ−ＲＳ、２ポートＣＳＩ−ＲＳ、及び４ポートＣＳＩ−ＲＳのすべては、図３に示すように、８ポートＣＳＩ−ＲＳのサブパターンである。すなわち、１ポートＣＳＩ−ＲＳ、２ポートＣＳＩ−ＲＳ、及び４ポートＣＳＩ−ＲＳの送信位置は、特定の８ポートＣＳＩ−ＲＳの送信位置に含まれる。このような特性を用いて、ＰＤＳＣＨ用ＤＭＲＳのための新たなスクランブリングシーケンスの初期状態は、どの８ポートＣＳＩ−ＲＳのサブパターンであるかに基づいて決定されることができる。下記の表４は、次のような数式（８）に基づいて、どの８ポートＣＳＩ−ＲＳに含まれるかに従うｉ値を示す。
【００６４】
【数９】
2014535188.tif 000014
【００６５】
【表４】
2014535188.tif 000015
【００６６】
ＰＤＳＣＨ用ＤＭＲＳの新たなスクランブリングシーケンスの初期状態が数式（８）及び表４に従って決定される場合に、同一の８ポートＣＳＩ−ＲＳに含まれたすべてのＣＳＩ−ＲＳは、同一の初期状態を有する。
【００６７】
方法４：送信ＣＳＩ−ＲＳパターンを含む８ポートＣＳＩ−ＲＳパターン内の相対的な位置に従う初期状態を決定する方法
図３に示すように、ＬＴＥ−ＡシステムのＣＳＩ−ＲＳは、特定の規則を有するように設計されている。例えば、２ポートＣＳＩ−ＲＳが送信される図３の送信位置３００及び他の２ポートＣＳＩ−ＲＳが送信される図３の送信位置３０４は、各２ポートＣＳＩ−ＲＳを含む８ポートＣＳＩ−ＲＳの同一の相対的な位置を有する。すなわち、８ポートＣＳＩ−ＲＳの送信位置３３０に対する図３の送信位置３００の相対的な位置及び８ポートＣＳＩ−ＲＳの送信位置３３１に対する図３の送信位置３０４の相対的な位置は同一である。ＰＤＳＣＨ用ＤＭＲＳのための新たなスクランブリングシーケンスの初期状態は、下記の表５に示すように、８ポートＣＳＩ−ＲＳに関する相対的な位置を用いて決定されることができる。下記の表５は、ポートＣＳＩ−ＲＳ送信位置内の相対的な送信位置に従うｉ値を示し、下記の数式（９）に基づく。
【００６８】
【数１０】
2014535188.tif 000016
【００６９】
【表５】
2014535188.tif 000017
【００７０】
上述した方法において、ＣＳＩ−ＲＳポートの個数を考慮してｉ値を設定する。下記の表６に示すように、ＣＳＩ−ＲＳのポート１５の相対的な位置だけを考慮してＰＤＳＣＨ用ＤＭＲＳの新たなスクランブリングシーケンスの初期状態を下記の表６に示すように決定できる。下記の表６は、ポートＣＳＩ−ＲＳ送信位置内のポート１５の相対的な送信位置に従うｉ値を示し、下記の数式（１０）に基づく。
【００７１】
【数１１】
2014535188.tif 000018
【００７２】
【数１２】
2014535188.tif 000019
【００７３】
は、物理レイヤーセル識別子を示し、ｎＳＣＩＤは、スクランブリングコード識別子の数を示し、ｉ値は、ＣＳＩ−ＲＳポートの数を設定し、ｎＳは、無線フレーム内のスロット番号を示す。
【００７４】
【表６】
2014535188.tif 000020
【００７５】
上述した方法１乃至４のように、ＣＳＩ−ＲＳコンフィギュレーションに従うＰＤＳＣＨ用ＤＭＲＳのためのスクランブリングシーケンスの初期状態を決定する時に、複数のＣＳＩ−ＲＳを設定する場合に、複数の初期状態に従って決定されることができる。
【００７６】
方法５：上位シグナリングに従う初期状態を決定する方法
方法１乃至方法４において、ＰＤＳＣＨ用ＤＭＲＳのためのスクランブリングシーケンスの新たな初期状態は、ＣＳＩ−ＲＳの設定に従って設定される。このような方法は、ｅＮＢとＵＥとの間の追加のシグナリングなしに目的を達成するが、予め決定された規則に従って実行されるために、状況に従って最適化することが難しい。このような短所を克服するために、ｅＮＢは、個別の上位シグナリングを通して具体的にどの初期状態を活用するかをＵＥに通知する。この場合に、ｅＮＢは、初期状態に対応するすべての情報をＵＥに通知してもよく、又は一部の情報をＵＥに通知してもよい。一般的に、初期状態の中の一部が予め決定されているために、追加の通知なしに前に決定された値を使用してもよく、ｅＮＢが残りの部分のみをＵＥに通知してもよい。例えば、ＰＤＳＣＨ用ＤＭＲＳのためのスクランブリングシーケンスの新たな初期状態が下記の数式（１１）のように決定される。
【００７７】
【数１３】
2014535188.tif 000021
【００７８】
ここで、
【数１４】
2014535188.tif 000022
【００７９】
は、個別の過程により決定される。結果的に、ｅＮＢは、本発明で提案する上位シグナリングを用いる初期状態の決定に対して数式（１１）でのｉ値のみをＵＥに通知する。数式（１１）のように、ｉが０乃至Ｋ−１の範囲にある場合に、初期状態は、総
【数１５】
2014535188.tif 000023
ビットで表現可能な情報である。
【００８０】
方法５の数式（１１）の他にも数式（１２）を用いて初期状態を決定できる。
【００８１】
【数１６】
2014535188.tif 000024
【００８２】
数式（１１）と比較する場合に、数式（１２）において、
【００８３】
【数１７】
2014535188.tif 000025
は、Ｘに置き換えられることが分かる。
【００８４】
数式（１２）において、Ｘは、９ビットの情報量を有し、上位シグナリングを用いて端末に通知される値である。レガシーＬＴＥ／ＬＴＥ−Ａシステムにおいて、ＤＭＲＳのための初期状態の
【００８５】
【数１８】
2014535188.tif 000026
は、個別の上位シグナリングなしにプライマリ同期信号（ＰＳＳ）及びセカンダリ同期信号（ＳＳＳ）の同期チャネルを受信するＵＥにより判定される値である。本発明で提案する数式（１２）は、ＰＳＳ及びＳＳＳを用いて判定した
【００８６】
【数１９】
2014535188.tif 000027
の代わりにｅＮＢが上位シグナリングを通してＵＥに通知するＸ及びｉに基づいて初期状態を決定する。このような方法を使用する場合に、数式（１１）と比較してさらに多くの初期状態からの選択が可能である。
【００８７】
数式（１２）において、Ｘ及びｉに基づいて初期状態を決定する方法に加えて、Ｘのみを使用して初期状態を決定する方法も可能である。これは、ｉが常に‘０’に固定される場合と同様である。このような方法は、レガシーＬＴＥ／ＬＴＥ−Ａで定義されたＤＭＲＳの初期状態の再使用を可能にすることにより具現の複雑度を減少させることができる。このような方式で、初期状態がＸのみを使用して決定される場合に、ｅＮＢは、Ｘ値で上位シグナリングを通してどの初期状態を使用するかをＵＥに通知する。
【００８８】
方法６：ＵＥのＲＮＴＩに従って初期状態を決定する方法
方法５は、個別の上位シグナリングを用いて新たな初期状態を決定する。このような方法５を使用する場合に、上位シグナリングによる追加のオーバーヘッドが不回避である。上記のようなオーバーヘッドを避ける１つの方法は、ＵＥごとに有している無線ネットワーク一時識別子（Radio Network Temporary Identifier、ＲＮＴＩ）を用いて初期状態を決定するものである。ＲＮＴＩは、ＵＥを識別するために使用され、ＵＥが多地点協調送信（Coordinated Multipoint transmission、ＣｏＭＰ）を行うか否かに関係なく、ＬＴＥ／ＬＴＥ−Ａシステムに接続される時にネットワークで送信される。このように基本的に提供されるＲＮＴＩを使用することにより、方法５のような追加の上位シグナリングが必要でない。ＲＮＴＩを用いて新たな初期状態を決定するためには、次のような数式（１３）又は数式（１４）が使用される。
【００８９】
【数２０】
2014535188.tif 000028
【００９０】
【数２１】
2014535188.tif 000029
【００９１】
数式（１４）において、Ｇは、１より大きい整数である。
【００９２】
方法１乃至６は、ＰＤＳＣＨ用ＤＭＲＳのための新たなスクランブリングシーケンスの初期状態を決定する方法である。前に言及した通りに、ＤＡＳにおいて、各送信地点に対してＰＤＳＣＨ用ＤＭＲＳをスクランブリングする場合に満足されるべき幾つかの条件が存在する。方法１乃至５は、条件１を満足する新たな初期状態を決定する。また、ＰＤＳＣＨ用ＤＭＲＳのスクランブリングは、レガシー初期状態により発生されるスクランブリングシーケンス及び方法１乃至方法６により決定される新たな初期状態により発生されるスクランブリングシーケンスを状況に従って適切に使用する必要がある。すなわち、レガシー初期状態及び新たな初期状態は、サブフレームごとにスケジューリング決定により可変しなければならない。
【００９３】
このような機能のために、本発明は、ＬＴＥシステムのＰＤＣＣＨを通してどの初期状態を用いてＤＭＲＳがスクランブリングされるかを通知する方法を提案する。このために、情報‘ＣｏＭＰスクランブリングインデックス’は、ＰＤＣＣＨに新たに付加され、ｅＮＢがＵＥにダウンリンク無線リソースを割り当てる度に通知のために送信される。情報‘ＣｏＭＰスクランブリングインデックス’は、ＰＤＣＣＨを通して送信されるが、ＰＤＣＣＨの強化されたチャネルであるＥ−ＰＤＣＣＨ（Enhanced PDCCH）を用いて同一の方法で通知される。
【００９４】
下記の表７は、ＰＤＣＣＨを通してどの初期状態を用いてＰＤＳＣＨ用ＤＭＲＳがスクランブリングされるかを通知する第１の実施形態に関連する。
【００９５】
【表７】
2014535188.tif 000030
【００９６】
表７は、複数の新たな初期状態を示す。このように複数の新たな初期状態が存在することは、ＤＡＳにおいて、複数の送信地点を使用する協調送信（cooperative transmission）が可能であるためである。協調送信が使用される場合に、中央制御器の判定に従って、サブフレームごとに、ＵＥは、複数の送信地点の中のいずれか１つでダウンリンク送信を受信することもでき、状況に従って複数の送信地点でダウンリンク送信を受信することもできる。
【００９７】
表７において、レガシー初期状態及び新たな初期状態は、すべて同一のセルＩＤを有することができるが、相互に異なるセルＩＤを有することによりＤＡＳで同一のセルＩＤを有する送信地点と隣接セルの送信地点との間の協調送信を可能にする。
【００９８】
表７において、新たな初期状態は、本発明で提案する方法１乃至方法６の中の１つを用いてＰＤＣＣＨを通した通知の前に決定される。方法１乃至方法４において、初期状態は、ＵＥに設定されるＣＳＩ−ＲＳに従って決定され、方法５において、初期状態は、個別の上位シグナリングにより決定される。また、方法６において、初期状態は、ＵＥのＲＮＴＩにより決定される。
【００９９】
下記の表８は、ＰＤＣＣＨを通してどの初期状態を用いてＰＤＳＣＨ用ＤＭＲＳがスクランブリングされるかを通知する第２の実施形態に関連する。
【０１００】
【表８】
2014535188.tif 000031
【０１０１】
表８において、複数のレガシー初期状態及び複数の新たな初期状態が存在する。このように、複数の新たな初期状態が存在することは、ＤＡＳにおいて、複数の送信地点を使用する協調送信が可能であるためである。また、複数のレガシー初期状態が存在することは、分散アンテナ形態で確立されない隣接セル間で協調送信を可能にするためである。表７及び表８において、複数の初期状態は、少なくとも１つのレガシー初期状態を含む。本発明は、ＵＥが新たな初期状態及びレガシー初期状態を同時に使用できるようにする。同一の方法を用いて、新たな初期状態だけを使用することも可能である。表７及び表８において、レガシー初期状態がすべて新たな初期状態に置き換えられるか又は除去される。
【０１０２】
本発明で提案するＰＤＣＣＨを通したＰＤＳＣＨ用ＤＭＲＳのスクランブリングシーケンスのための初期状態の通知は、上述した実施形態におけるように２ビットを用いて行われる。追加のビットを用いて追加の初期状態を通知する。また、１ビットを用いて１つのレガシー初期状態及び１つの新たな初期状態の中のいずれのものを使用するかを通知することもできる。上述した説明において、レガシー初期状態は、個別の上位シグナリングなしに、ＵＥが接続されるサービングセルのセルＩＤに従って暗黙のうちに決定されることもあり、また、上述した方法において、初期状態は、個別の上位シグナリングを用いて決定されることもある。
【０１０３】
どの初期状態を使用するかをＵＥに通知する他の方法は、ＣｏＭＰスクランブリングインデックスとレガシーＬＴＥ−Ａシステムで定義されたスクランブリングコード識別子（Scrambling Code Identification、ＳＣＩＤ）との組み合せを用いる。下記の表９は、ＰＤＣＣＨを介してどの初期状態を用いてＰＤＳＣＨ用ＤＭＲＳがスクランブリングされるかを通知する第３の実施形態に関連する。
【０１０４】
【表９】
2014535188.tif 000032
【０１０５】
レガシーＬＴＥ−Ａで定義されたＳＣＩＤは、ＤＭＲＳのためのスクランブリングの初期状態の最下位ビット（Least Significant Bit、ＬＳＢ）だけを決定する。しかしながら、本発明で提案する方法を適用する場合に、ＳＣＩＤは、ＣｏＭＰスクランブリングインデックスと組み合せられることによりＤＭＲＳのためのスクランブリングの初期状態のＬＳＢだけでなく他のビットも決定できる。すなわち、表９において、ＣｏＭＰスクランブリングインデックス及びＳＣＩＤは、レガシーＳＣＩＤが初期状態の１ビットのＬＳＢビットだけを決定するものではなく、方法１乃至６により決定された複数の初期状態の中の１つを決定する。上述した方法により決定された複数の初期状態は、複数のビットで相互に異なる。すなわち、表９のＣｏＭＰスクランブリングインデックス及びＳＣＩＤをともに使用する場合に、ＳＣＩＤは、従来の技術におけるように、１ビットのＬＳＢを決定しない。ＣｏＭＰスクランブリングインデックスとＳＣＩＤとが組み合せられた情報がどの初期状態を指定するかは、方法１乃至６により決定される。
【０１０６】
下記の表１０は、ＰＤＣＣＨを通してどの初期状態を用いてＰＤＳＣＨ用ＤＭＲＳがスクランブリングされるかを通知する第４の実施形態に関連する。
【０１０７】
【表１０】
2014535188.tif 000033
【０１０８】
ＬＴＥ−Ａにおいて、ＳＣＩＤは、１ビットの情報量を有するが、ＤＭＲＳポート割り当て情報と組み合せられた後に送信される。この場合に、割り当てられたＤＭＲＳポートの個数が１個又は２個である場合のみに、ＳＣＩＤは、‘０’又は‘１’の値を有し、割り当てられたＤＭＲＳポートの個数が３個以上である場合に、ＳＣＩＤは、‘０’に固定される。表９及び表１０におけるように、ＣｏＭＰスクランブリングインデックスとＳＣＩＤとの組み合せが使用される場合に、従来の技術とは異なり、３個以上のＤＭＲＳポートが割り当てられるとしてもＤＭＲＳのためのスクランブリングシーケンスの初期状態を異なって割り当てることができるという長所がある。
【０１０９】
このように３個以上のＤＭＲＳポートが割り当てられる場合にも異なる初期状態を割り当てることにより、ＤＡＳにおいて、送信地点間の干渉ランダム化を可能にする長所がある。すなわち、ＳＣＩＤだけを使用するときに、３個以上のＤＭＲＳポートが割り当てられる場合、ＳＣＩＤは、常に‘０’の値を有することにより、固定された初期状態を使用する。しかしながら、本発明で提案するＣｏＭＰスクランブリングインデックスを表９及び表１０におけるようにＳＣＩＤとともに使用する場合に、ＳＣＩＤが‘０’の値を有するとしても異なる初期状態を割り当てることができる。表７及び表８で提案する方法もこのような長所を同様に有する。
【０１１０】
図５は、本発明に従うＰＤＣＣＨを通して送信されるダウンリンク制御情報（Downlink Control Information、ＤＣＩ）を示す図である。
【０１１１】
図５において、本発明で提案するＣｏＭＰスクランブリングインデックス５００は、ＰＤＣＣＨを通してＳＣＩＤ５１０及び他のＤＣＩ関連情報５２０とともに送信される。ＵＥは、ＣｏＭＰスクランブリングインデックス５００を使用して、上述したように、どの初期状態に基づくスクランブリングシーケンスが使用されるかを判定できる。図５において、ＳＣＩＤ５１０は、１ビット情報であり、１つの送信地点でＭＵ−ＭＩＭＯを可能にするためにレガシーＬＴＥ／ＬＴＥ−Ａシステムで定義される。このような値は、数式（１）乃至（１０）に含まれる。ＳＣＩＤ５１０を１ビット情報として送信する方法に加えて、ＳＣＩＤ５１０は、送信のためにＤＭＲＳポート割り当て情報と組み合せられてもよい。すなわち、ＵＥは、図５のＣｏＭＰスクランブリングインデックス５００及びＳＣＩＤ５１０を受信する前に方法１乃至６の中の1つを用いて新たな初期状態を判定できる。その後に、ＵＥは、ＰＤＣＣＨを通して図５の情報をｅＮＢから受信し、したがって、ＤＭＲＳがどの初期状態によりスクランブリングされるかについての通知を受ける。
【０１１２】
図６は、本発明に従うＰＤＳＣＨ用ＤＭＲＳのための新たなスクランブリングシーケンスの初期状態を決定し、ｅＮＢが、どのスクランブリングシーケンスが生成され、どのスクランブリングシーケンスが送信されたＰＤＳＣＨ用ＤＭＲＳをスクランブリングするために使用されるかを初期状態のＵＥに通知する過程を示す図である。
【０１１３】
図６において、ｅＮＢは、ステップ６００において、ＤＡＳに関連したＵＥのＣＳＩ−ＲＳコンフィギュレーションをどのように設定するかを決定する。ステップ６１０において、ｅＮＢは、ステップ６００で決定されたＵＥのＣＳＩ−ＲＳコンフィギュレーションを上位シグナリングを通してＵＥに通知する。このようにＵＥのＣＳＩ−ＲＳコンフィギュレーションが通知された後に、ｅＮＢは、ステップ６２０において、どのＵＥにダウンリンクリソースを割り当てるかを判定するためのスケジューリングを実行する。ステップ６２０において、ｅＮＢは、どのＵＥにトラフィックチャネルであるＰＤＳＣＨを送信するかを決定した後に、ステップ６３０において、対応するＵＥがＤＭＲＳスクランブリングのための新たな初期状態をサポートするＵＥであるか否かに従って対応する動作を実行する。ステップ６３０において、ＵＥがＰＤＳＣＨ用ＤＭＲＳスクランブリングのための新たな初期状態をサポートしないと判定される場合に、ｅＮＢは、ステップ６４０において、レガシー初期状態に基づくスクランブリングシーケンスによりスクランブリングされたＰＤＳＣＨ用ＤＭＲＳを送信する。ステップ６４０におけるように、ＵＥが新たな初期状態をサポートしない場合に、本発明で提案するＣｏＭＰスクランブリングインデックスも送信されない。
【０１１４】
しかしながら、ステップ６３０において、ＵＥが新たな初期状態をサポートする場合に、ｅＮＢは、ステップ６５０において、対応するＵＥがどの初期状態を用いてスクランブリングシーケンスを生成するかを判定する。ステップ６５０において、対応するＵＥに適用される初期状態は、表７又は表８におけるように、レガシー初期状態及び新たな初期状態の中の１つである。ステップ６５０で決定された初期状態は、ステップ６６０において、ＰＤＣＣＨ又はＰＤＣＣＨの拡張されたチャネルであるＥ−ＰＤＣＣＨを通してＵＥに通知される。ｅＮＢは、ＰＤＣＣＨとともに、ＰＤＳＣＨ及びＰＤＳＣＨ用ＤＭＲＳを対応するＵＥに送信する。
【０１１５】
図６において、新たな初期状態がＣＳＩ−ＲＳコンフィギュレーションにより決定されると仮定する。すなわち、方法１乃至４の中の１つが使用されると仮定する。本発明は、方法５及び方法６が使用される場合にも類似した一連の過程が適用され、これにより、ｅＮＢがどの初期状態が使用されるかをＵＥに通知できる。
【０１１６】
図７は、本発明に従ってＰＤＳＣＨ用ＤＭＲＳのための新たなスクランブリングシーケンスの初期状態を決定し、どの初期状態が適用されたＰＤＳＣＨ用ＤＭＲＳがｅＮＢから送信されたかをＵＥが判定する過程を示す図である。
【０１１７】
図７のステップ７００において、ＵＥは、ｅＮＢからＤＡＳに関連したＣＳＩ−ＲＳコンフィギュレーションの通知を受ける。ステップ７００で通知されたＣＳＩ−ＲＳコンフィギュレーションを用いて、ＵＥは、ＰＤＳＣＨ用ＤＭＲＳのための新たなスクランブリングシーケンスの初期状態を判定する。このとき、本発明で提案した方法１乃至４の中の１つが使用される。方法１乃至６の中の１つを用いてＰＤＳＣＨ用ＤＭＲＳのための新たなスクランブリングシーケンスの初期状態をＵＥに通知する。この場合に、ステップ７００のＣＳＩ−ＲＳコンフィギュレーションに関係なく、ｅＮＢは、どの初期状態を使用すべきかを上位シグナリングを通して直接的にＵＥに通知できる。
【０１１８】
図７のステップ７００及びステップ７１０において、ＵＥがＰＤＳＣＨ用ＤＭＲＳのための新たなスクランブリングシーケンスのために使用される初期状態を判定した後に、ステップ７２０において、ＰＤＣＣＨ又はＰＤＣＣＨの改善したチャネルであるＥ−ＰＤＣＣＨを用いて図５に示すようなＤＣＩ（５２０）を受信する。ステップ７２０において、ＤＣＩを受信したＵＥは、ＣｏＭＰスクランブリングインデックス５００を用いてどの初期状態のスクランブリングシーケンスが生成されたかを判定する。ステップ７２０において、ＣｏＭＰスクランブリングインデックスが‘００’である場合に、ＵＥは、ステップ７４０において、ｅＮＢがダウンリンクのＰＤＳＣＨ用ＤＭＲＳを送信する時にレガシー初期状態を用いて生成されたスクランブリングシーケンスを通してスクランブリングを実行すると判定し、ステップ７６０において、トラフィックチャネルであるＰＤＳＣＨを受信する。
【０１１９】
しかしながら、ステップ７３０において、ＣｏＭＰスクランブリングインデックスが‘００’でない場合に、ＵＥは、新たな初期状態により生成されたスクランブリングシーケンスを用いてスクランブリングが実行されると判定し、ステップ７５０において、対応するスクランブリングシーケンスを用いてステップ７６０においてトラフィックチャネルであるＰＤＳＣＨを受信する。図７において、方法１乃至４の中の１つがＣＳＩ−ＲＳコンフィギュレーションに従って新たな初期状態を決定するために使用され、ＣｏＭＰスクランブリングインデックスが２ビット情報を有し、表７のように定義されると仮定する。同様に、このような過程は、方法５、方法６、及び表８にも適用可能である。
【０１２０】
図７において、ＤＭＲＳのためのスクランブリングの初期状態は、ＣｏＭＰスクランブリングインデックスだけを用いて決定される。また、表８のように、ＣｏＭＰスクランブリングインデックスとともにＳＣＩＤを使用する方法は、図７と同一の過程にも適用可能である。すなわち、図７において、表８のようにＣｏＭＰスクランブリングインデックスがＳＣＩＤとともに適用され、ＣｏＭＰスクランブリングインデックス及びＳＣＩＤが図７のステップ７２０で受信された後に、ステップ７３０において、ＣｏＭＰスクランブリングインデックス及びＳＣＩＤを用いて初期状態が決定される。
【０１２１】
ＤＡＳをサポートするＬＴＥ−Ａシステムにおいて、効率的な制御チャネルの送信のためにＥ−ＰＤＣＣＨをサポートできる。図８は、Ｅ−ＰＤＣＣＨとＰＤＳＣＨとの間の関係を示す図である。図８において、Ｅ−ＰＤＣＣＨは、８００で示すように、無線リソースの特定の部分に送信される。ポーション８００でのＥ−ＰＤＣＣＨは、８１０で示すように特定のＵＥのＰＤＳＣＨを受信するのに必要なＤＣＩを対応するＵＥに通知するために使用される。Ｅ−ＰＤＣＣＨは、レガシーＬＴＥ／ＬＴＥ−Ａシステムにおいて、制御チャネルとして使用されるＰＤＣＣＨの拡張されたチャネルであり、Ｅ−ＰＤＣＣＨがＰＤＳＣＨと同様にＤＭＲＳに基づいて運用できるが、ＰＤＣＣＨがＣＲＳに基づいて常に運用できるという点で、ＰＤＣＣＨとは大きく異なる。
【０１２２】
Ｅ−ＰＤＣＣＨがＤＭＲＳに基づいて使用される場合に、対応するＰＤＣＣＨ用ＤＭＲＳがどの初期状態に基づいて生成されるスクランブリングシーケンスを使用するかを定義する必要がある。一般的に、ＰＤＳＣＨ用ＤＭＲＳの場合に、制御チャネルであるＥ−ＰＤＣＣＨ又はＰＤＣＣＨがどの初期状態に基づいて生成されるスクランブリングシーケンスを使用するかをＵＥに通知する。
【０１２３】
しかしながら、Ｅ−ＰＤＣＣＨのような制御チャネルの場合に、これを個別に通知する他の制御チャネルがない。このような問題を解決するために、Ｅ−ＰＤＣＣＨの場合に、ＰＤＳＣＨ用ＤＭＲＳのためのスクランブリングシーケンスを生成するために使用される複数の初期状態の中の１つの初期状態を設定し使用する。すなわち、Ｅ−ＰＤＣＣＨ用ＤＭＲＳの場合に、対応する初期状態に基づいて生成されるスクランブリングシーケンスを常に使用する。Ｅ−ＰＤＣＣＨ用ＤＭＲＳは、ＰＤＳＣＨ用ＤＭＲＳの初期状態の中の１つを使用する。例えば、表７のように、適用可能な４つの初期状態が存在する場合に、ｅＮＢは、これらの状態の中の１つをＥ−ＰＤＣＣＨのための初期状態として設定する。
【０１２４】
Ｅ−ＰＤＣＣＨは、所定の専用初期状態に基づいて生成されるスクランブリングシーケンスを用いてスクランブリングされたＤＭＲＳとともに送信される。このために、ＵＥは、Ｅ−ＰＤＣＣＨがどの初期状態に基づくスクランブリングシーケンスを用いてスクランブリングされたかをサブフレームごとに通知を受けるか又は判定する過程なしに、初期設定で通知されたＥ−ＰＤＣＣＨ用初期状態に基づくスクランブリングシーケンスを用いてＥ−ＰＤＣＣＨを受信する。
【０１２５】
上述したように、Ｅ−ＰＤＣＣＨのためのＤＭＲＳのスクランブリング初期状態は、ＰＤＳＣＨのためのＤＭＲＳのスクランブリング初期状態の中の１つに設定される。このようなＥ−ＰＤＣＣＨ用ＤＭＲＳのスクランブリング初期状態を設定するためには、ｅＮＢは、ＲＲＣシグナリングを用いてＰＤＳＣＨ用ＤＭＲＳのスクランブリング初期状態の中のいずれか１つが使用されるかをＵＥに通知できる。Ｅ−ＰＤＣＣＨ用ＤＭＲＳのスクランブリング初期状態は、ＵＥとｅＮＢとの間で事前に合意された方法により決定されることができる。このようにするために、ＵＥとｅＮＢとの間で事前に合意された方法により決定される方法の中の１つは、ＣＳＩ−ＲＳコンフィギュレーションが設定された送信地点の中で最も受信強度が強い送信地点のスクランブリング初期状態を使用できる。一般的に、ＵＥは、各送信地点に対して測定された基準信号の受信強度をｅＮＢに周期的に通知できるために、上述した方法を使用する場合に、ｅＮＢから個別に通知されることなく、ＵＥは、Ｅ−ＰＤＣＣＨがどの初期状態に基づいて生成されるスクランブリングシーケンスでスクランブリングされるかを判定できる。
【０１２６】
一方、図面には示していないが、本発明の実施形態による方法１乃至６だけでなく、本発明で提案する動作を実行できるプロセッサ（又は制御部）は、端末及び基地局に備えられてもよい。
【０１２７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１２８】
４００  高い送信電力で送信を行う送信地点
４１０、４２０、４３０、４４０  低い送信電力で送信を行う送信地点
５００  ＣｏＭＰスクランブリングインデックス
５１０  ＳＣＩＤ
【図１】
2014535188.tif 000034
【図２】
2014535188.tif 000035
【図３】
2014535188.tif 000036
【図４】
2014535188.tif 000037
【図５】
2014535188.tif 000038
【図６】
2014535188.tif 000039
【図７】
2014535188.tif 000040
【図８】
2014535188.tif 000041
【国際調査報告】
2014535188.tif 000042
2014535188.tif 000043